(57)【特許請求の範囲】
【請求項１】
データをモバイル・コンピューティング装置（１０）から送信する方法であって、
前記モバイル・コンピューティング装置のいずれのプロセッサとも独立したアタッチメント・センサ（１１８）によって、前記モバイル・コンピューティング装置内の第１のポート（１１２）にアサートされたバイアスを検知するステップと、
前記モバイル・コンピューティング装置（１０）により、データ・ソース（１３０、１３２、１３４）から前記第１のポート（１１２）にデータを送信するために、前記データ・ソース（１３０、１３２、１３４）を選択するステップであって、ここで、前記第１のポート（１１２）は、第１のデータ・フォーマットをサポートするための第１のピンアウトで構成されているものであり、前記データ・ソース（１３０、１３２、１３４）は、前記第１のデータ・フォーマットと異なる第２のデータ・フォーマットでデータを送信するように構成されているものである、ステップと、
前記モバイル・コンピューティング装置（１０）により、前記データを前記選択されたデータ・ソースから前記第２のデータ・フォーマットで送信するステップであって、バイアスが検出されないとき、データを前記第２のデータ・フォーマットで第２のポート（１１４）に送信し、前記バイアスが検出されたとき、データを前記第２のデータ・フォーマットで前記第１のポート（１１２）に送信するステップと、
前記モバイル・コンピューティング装置（１０）により、前記第１のポート（１１２）が前記第２のデータ・フォーマットをサポートできるようにする第２のピンアウトで前記第１のピンアウトを再構成するステップと、
前記モバイル・コンピューティング装置（１０）により、前記第１のポート（１１２）を通じて前記データを前記第２のデータ・フォーマットで送信するステップと、
を含む、方法。
【請求項２】
前記バイアスを検知するステップは、バイアスを前記第１のポート（１１２）の少なくとも１つのピンで検出するステップを含む、請求項1に記載の方法。
【請求項３】
前記バイアスを検出するステップは、アースおよび非零電圧の少なくとも１つを前記少なくとも１つのピンで検出するステップであって、前記データ・ソースは、前記少なくとも１つのピンでアサートされた前記バイアスに基づいて選択されるステップを含む、請求項2に記載の方法。
【請求項４】
前記データ・ソースを選択するステップは、バイアスが前記少なくとも１つのピンで検出されないとき、デフォルトのデータ・ソース（１３０、１３２、１３４）を選択するステップを含む、請求項2に記載の方法。
【請求項５】
前記第１のピンアウトを再構成するステップは、前記第２のデータ・フォーマットをサポートするように前記第１のピンアウトのうち少なくとも１つのピンを割り当てるステップを含む、請求項1に記載の方法。
【発明の詳細な説明】
【技術分野】
【０００１】
本発明の分野は一般にモバイル・コンピューティング装置に関し、より具体的には、モバイル・コンピューティング装置の機能の向上を促進するハードウェアに関する。
【背景技術】
【０００２】
スマートフォン、携帯電話、および携帯情報端末（ＰＤＡ）のようなモバイル・コンピューティング装置が多種多様なタイプのユーザの間で使用されており人気を博している。少なくとも幾つかの既知のモバイル・コンピューティング装置は、ケーブル媒体を使用して、モバイル・コンピューティング装置と他の電子装置の間でデータを転送する。一般に、ケーブル媒体の反対側に接続されたコネクタと、モバイル・コンピューティング装置内で定義されたドッキング・ポートとは、データをその間で転送できる所定の標準プロトコルをサポートする。より具体的には、当該コネクタとドッキング・ポートは、当該標準プロトコルをサポートするための所定の構成で配置されたピンアウトを含む。例示的な標準プロトコルはユニバーサル・シリアル・バス（ＵＳＢ）、ファイアウェア（ＩＥＥＥ１３９４）、高解像度マルチメディア・インタフェース（ＨＤＭＩ（登録商標））、ディスプレイポート（例えば、２レーンおよび４レーン）、およびポータブル・デジタル・メディア・インタフェース（ＰＤＭＩ）を含む。
【０００３】
少なくとも幾つかの既知のモバイル・コンピューティング装置の機能は、ドッキング・ポートの数とタイプに少なくとも部分的に基づき、当該モバイル・コンピューティング装置に含まれる。例えば、モバイル・コンピューティング装置は一般に、ＵＳＢおよびＨＤＭＩ（登録商標）の機能をサポートするための専用ＵＳＢドッキング・ポートおよび専用ＨＤＭＩ（登録商標）ドッキング・ポートを有する。さらに、少なくとも幾つかの既知のドッキング・ポートは複数の機能をサポートする。例えば、ＰＤＭＩ標準プロトコルをサポートするドッキング・ポートは２レーンのディスプレイポートおよびＵＳＢ機能の両方を有する。モバイル・コンピューティング装置の機能を向上させることは、電子業界の当業者にとってますます重要なものとなってきている。
【発明の概要】
【発明が解決しようとする課題】
【０００４】
したがって、既存のドッキング・ポートのピンアウト構成を修正して、モバイル・コンピューティング装置の機能の向上を促進することが望ましいであろう。
【課題を解決するための手段】
【０００５】
１態様では、モバイル・コンピューティング装置が提供される。当該装置は、第１のデータ・フォーマットをサポートするための第１のピンアウトで構成された第１のポートと、第１のデータ・フォーマットと異なる第２のデータ・フォーマットでデータを提供するように構成されたデータ・ソースと、データを当該データ・ソースから第１のポートに選択的に送信するように構成された第１のマルチプレクサとを備える。第１のポートは、第２のデータ・フォーマットをサポートするための第２のピンアウトで再構成される。
【０００６】
別の態様では、データをモバイル・コンピューティング装置から送信する方法が提供される。当該方法は、データをそこから当該モバイル・コンピューティング装置内の第１のポートに提供するデータ・ソースを提供するステップであって、第１のポートは、第１のデータ・フォーマットをサポートするための第１のピンアウトで構成され、当該データ・ソースは、第１のデータ・フォーマットと異なる第２のデータ・フォーマットでデータを送信するように構成される、ステップを含む。当該方法はまた、データを第２のデータ・フォーマットで第１のポートに選択的に送信するステップと、第１のポートが第２のデータ・フォーマットをサポートできるようにする第２のピンアウトで第１のピンアウトを再構成するステップと、第１のポートを通じて当該データを第２のデータ・フォーマットで送信するステップとを含む。
【０００７】
さらに別の態様では、モバイル・コンピューティング装置が提供される。当該装置は、ポータブル・デジタル・メディア・インタフェースをサポートするように構成された第１のピンアウトを備えた第１のポートと、夫々がデータをデータ・フォーマットで提供するように構成された複数のデータ・ソースであって、バイアスが選択的に、当該複数のデータ・ソースの１つから第１のポートに送信するためのデータ・フォーマットを送信するのを促進する第１のポートの第１のピンでアサートされる、複数のデータ・ソースと、データを当該複数のデータ・ソースの１つから第１のポートに選択的に送信するように構成されたマルチプレクサであって、第１のピンアウトは、当該選択されたデータ・フォーマットをサポートするための第２のピンアウトで再構成されるマルチプレクサとを備える。
【図面の簡単な説明】
【０００８】
【図１】例示的なモバイル・コンピューティング装置の前面透視図である。
【図２】図１に示すモバイル・コンピューティング装置の後面透視図である。
【図３】図１に示すモバイル・コンピューティング装置で使用できる例示的なハードウェア・アーキテクチャの略図である。
【図４】図１に示すモバイル・コンピューティング装置で使用できる代替的な例示的なハードウェア・アーキテクチャの略図である。
【図５】第１の動作モードでの図１に示すドッキング・ポートに対する代替的な例示的なピンアウトを示す図である。
【図６】第２の動作モードでの図１に示すドッキング・ポートに対する代替的な例示的なピンアウトを示す図である。
【図７】第３の動作モードでの図１に示すドッキング・ポートに対する代替的な例示的なピンアウトを示す図である。
【発明を実施するための形態】
【０００９】
本明細書で説明する実装は、モバイル・コンピューティング装置にデータを送信しかつ／またはモバイル・コンピューティング装置からデータを送信するために使用できる装置および方法に関する。例示的な実装では、当該モバイル・コンピューティング装置は、ハードウェア・ベースのスイッチング機構を用いて、データをデータ・ソースから当該モバイル・コンピューティング装置内の複数のドッキング・ポートに向ける。例えば、当該スイッチング機構は、所定のデータ・フォーマットをサポートする第１のドッキング・ポートまたは当該所定のデータ・フォーマットをサポートするように再構成できる第２のドッキング・ポートの何れかに所定のデータ・フォーマットのデータを選択的に送信することを容易にする。より具体的には、第２のドッキング・ポートのピンアウトを、当該所定のデータ・フォーマットをサポートするように再構成してもよい。したがって、当該スイッチング機構は当該モバイル・コンピューティング装置の機能を向上するのを促進する。
【００１０】
図１および２は例示的なモバイル・コンピューティング装置１０を示す。例示的な実装では、モバイル・コンピューティング装置１０は、別のモバイル・コンピューティング装置および／または電子表示装置のような別の装置との通信をサポートするために提供される。さらに、モバイル・コンピューティング装置１０が、ネットワーク・アクセス、ＳＭＳメッセージング、１つまたは複数のアプリケーション、データ処理、暗号化、および／または他の機能のホスティングを含む、多様な他の機能を含んでもよい。例示的な実装では、モバイル・コンピューティング装置１０は１つまたは複数のセルラ・ネットワークを通じて通信するように構成されたスマートフォンである。
【００１１】
示したように、モバイル・コンピューティング装置１０は、筐体１２と筐体１２内に少なくとも部分的に配置された複数のプレゼンテーション装置１４とを備える。プレゼンテーション装置１４は、モバイル・コンピューティング装置１０の動作に関するデータ、コマンド、要求されたデータ、メッセージ、（仮想キーボードのような）１つまたは複数の入力装置、および／または他の任意のタイプのデータのような情報をユーザに出力するが、これらに限られない。幾つかの例では、プレゼンテーション装置１４が、例えば、液晶ディスプレイ（ＬＣＤ）、発光ダイオード（ＬＥＤ）ディスプレイ、発光ダイオード（ＬＥＤ）、カメラフラッシュ、有機ＬＥＤ（ＯＬＥＤ）ディスプレイ、および／または「電子インク」ディスプレイを含んでもよい。複数のプレゼンテーション装置１４を、データをユーザに視覚的におよび／または可聴的に提示するために含めてもよく、プレゼンテーション装置１４が音声通信で使用するためのオーディオ出力を含んでもよい。
【００１２】
モバイル・コンピューティング装置１０はさらに、筐体１２内に少なくとも部分的に配置された複数の入力装置１６を備える。各入力装置１６を、本明細書で説明した方法および／またはプロセスの１つまたは複数に従って選択、要求、コマンド、情報、データ、および／または他の任意の入力のタイプを受信するように構成してもよい。入力装置１６が、例えば、ボタン、キーボード、マイクロフォン、ポインティングデバイス、スタイラスペン、タッチセンシティブパネル（例えば、タッチパッドまたはタッチスクリーン）、ジャイロスコープ、加速度計、デジタルコンパス、位置検出器、カメラ、第２のカメラ、および／またはオーディオ入力インタフェースを含んでもよい。タッチスクリーン１８のような単一のコンポーネントがプレゼンテーション装置１４および入力装置１６の両方として機能してもよい。
【００１３】
モバイル・コンピューティング装置１０はまた、筐体１２内に少なくとも部分的に配置され所定の標準プロトコルをサポートする複数のドッキング・ポートを備える。したがって、各ドッキング・ポートは、データをモバイル・コンピューティング装置１０に送信しかつ／またはデータをモバイル・コンピューティング装置１０から送信する際に使用するための少なくとも１つのデータ・フォーマットをサポートする。例示的な実装では、モバイル・コンピューティング装置１０は、ポータブル・デジタル・メディア・インタフェース（ＰＤＭＩ）ポート２２、ユニバーサル・シリアル・バス（ＵＳＢ）ポート２４、および高解像度マルチメディア・インタフェース（ＨＤＭＩ（登録商標））ポート２６を含む。
【００１４】
モバイル・コンピューティング装置１０は筐体１２に係合する背面パネル２０を備える。背面パネル２０は筐体１２と実質的に一貫する断面を定義し、それにより、筐体１２に接続されたときに筐体１２と実質的に統合されたユニットを形成する。背面パネル２０は、モバイル・コンピューティング装置１０の１つまたは複数の態様へのアクセスを提供するためにモバイル・コンピューティング装置１０から取り外される。
【００１５】
図３は、モバイル・コンピューティング装置１０で使用できる例示的なハードウェア・アーキテクチャ１００の略図である。例示的な実装では、ハードウェア・アーキテクチャ１００はプロセッサ１０２、マルチプレクサ１０４、および複数の電源スイッチ１０６および１０８を備える。マルチプレクサ１０４および電源スイッチ１０６および１０８はそれぞれプロセッサ１０２と通信して接続される。ハードウェア・アーキテクチャ１００はまた、ＵＳＢ標準プロトコルをサポートする第１のドッキング・ポート１１０とＰＤＭＩ標準プロトコルをサポートする第２のドッキング・ポート１１２とを含む。代替的な実装では、第１のドッキング・ポート１１０および第２のドッキング・ポート１１２を、任意の標準プロトコルをサポートするように構成してもよい。
【００１６】
プロセッサ１０２が、（例えば、マルチコア構成の）１つまたは複数の処理ユニットを備えてもよい。さらに、プロセッサ１０２を、メインプロセッサが単一のチップ上で二次プロセッサとともに存在する１つまたは複数の不均一プロセッサシステムを用いて実装してもよい。別の例示的な例として、プロセッサ１０２が、同一のタイプの複数のプロセッサを含む対称的なマルチプロセッサシステムであってもよい。さらに、プロセッサ１０２を、１つまたは複数のシステムおよびマイクロコントローラ、マイクロプロセッサ、縮小命令セット回路（ＲＩＳＣ）、特殊用途向け集積回路（ＡＳＩＣ）、プログラム可能ロジック回路、フィールドプログラム可能ゲートアレイ（ＦＰＧＡ）、および本明細書で説明した機能を実行できる他の任意の回路を含む任意の適切なプログラム可能回路を用いて実装してもよい。
【００１７】
マルチプレクサ１０４は、プロセッサ１０２、第１のドッキング・ポート１１０、および第２のドッキング・ポート１１２の間でデータ・フレームを送受信し、マルチプレクサおよびデマルチプレクサの両方として使用されてもよい。より具体的には、マルチプレクサ１０４は、データ・フレームを複数のデータ・フレームに分割するように構成され、複数のデータ・フレームを１つのデータ・フレームに結合するように構成される。幾つかの実装では、マルチプレクサ１０４は、マルチプレクサ１０４が所望のまたは所定の宛先に基づいて特定のチャネル（図示せず）を通じてデータ・フレームを経路付けするように構成されるという点で、スイッチとして動作するように構成される。
【００１８】
アタッチメント・センサ１１８は第２のドッキング・ポート１１２、マルチプレクサ１０４、ならびに電源スイッチ１０６および１０８と通信して接続される。より具体的には、アタッチメント・センサ１１８は、センス線１２０を介して第２のドッキング・ポート１１２と通信して接続され、コマンド・ライン１２２を介してマルチプレクサ１０４と通信して接続され、コマンド・ライン１２４を介して電源スイッチ１０６と通信して接続され、コマンド・ライン１２６を介して電源スイッチ１０８と通信して接続される。アタッチメント・センサ１１８を、カスタム超大規模集積（「ＶＬＳＩ」）回路またはゲートアレイ、ロジックチップ、トランジスタ、または他の離散コンポーネントのような既製の半導体を含むハードウェア回路として実装してもよい。アタッチメント・センサ１１８を、フィールドプログラム可能ゲートアレイ（ＦＰＧＡ）、プログラム可能アレイロジック、および／またはプログラム可能ロジック装置（ＰＬＤ）のようなプログラム可能ハードウェア装置で実装してもよい。
【００１９】
電源スイッチ１０６および１０８は、プロセッサ１０２および第１のドッキング・ポート１１０および第２のドッキング・ポート１１２の間で通信して接続される。より具体的には、第１の電源スイッチ１０６はプロセッサ１０２および第１のドッキング・ポート１１０の間で接続され、第２の電源スイッチ１０８はプロセッサ１０２および第２のドッキング・ポート１１２の間で接続される。電源スイッチ１０６および１０８を、金属酸化物半導体フィールド効果トランジスタ（ＭＯＳＦＥＴ）のようなフィールド効果トランジスタ（ＦＥＴ）、絶縁ゲート・バイポーラ・トランジスタ（ＩＧＢＴ）、バイポーラ・ジャンクション・トランジスタ（ＢＪＴ）、およびゲート・ターンオフ・サイリスタ（ＧＴＯ）のようなバイポーラ・トランジスタから製造してもよい。
【００２０】
電源スイッチ１０６および１０８は、選択されたドッキング・ポートへのおよび／または選択されたドッキング・ポートからのＵＳＢ電力のルーティングを促進する。したがって、角点条件を、ポート検出の標準ＵＳＢ方法が継続的な機能を有しうるようにハードウェア・アーキテクチャ１００を有効化することで、軽減してもよい。さらに、電源スイッチ１０６および１０８は、モバイル・コンピューティング装置１０がオフのときにプロセッサ１０２が動作可能でないので、プロセッサ１０２から独立に動作する。したがって、ＵＳＢ接続の充電機能は、モバイル・コンピューティング装置１０がオフであるときでも、および／または、モバイル・コンピューティング装置１０のバッテリが少ない場合でも、動作し続ける。
【００２１】
動作に際して、モバイル・コンピューティング装置１０は、インタフェース・コネクタが第２のドッキング・ポート１１２から切断されているとき第１の動作モードで動作し、インタフェース・コネクタが第２のドッキング・ポート１１２に接続されているとき第２の動作モードで動作する。より具体的には、第２の動作モードを、アタッチメント・センサ１１８がセンス線１２０を介して第２のドッキング・ポート１１２でアサートされたバイアスを検出したとき作動してもよい。例えば、１実装では、シンク装置（例えば、モニタ）（図示せず）が、第２のドッキング・ポート１１２の少なくとも１つのピンで非零電圧をアサートして、第２のドッキング・ポート１１２を通じて送信すべきデータを要求してもよい。代替的な実装では、当該シンク装置が、当該少なくとも１つのピンをアースしてデータの受信を要求してもよい。
【００２２】
第２のドッキング・ポート１１２でアサートされたバイアスを検出すると、アタッチメント・センサ１１８は、データをプロセッサ１０２から第２のドッキング・ポート１１２に送信するようにマルチプレクサ１０４に指示する。より具体的には、マルチプレクサ１０４は、コマンド・ライン１２２を介してアタッチメント・センサ１１８から受信されたコマンドに基づいてデータを経路付けするように構成される。アタッチメント・センサ１１８はまた、コマンド・ライン１２４および１２６を介して、電力をプロセッサ１０２から第２のドッキング・ポート１１２にチャネルするように電源スイッチ１０６および１０８に指示してもよい。
【００２３】
図４は、モバイル・コンピューティング装置１０で使用できる代替的な例示的なハードウェア・アーキテクチャ１５０の略図である。例示的な実装では、ハードウェア・アーキテクチャ１５０は、ＵＳＢ３．０超速ソース（ＵＳＢソース）１３０、ディスプレイポート・ソース１３２、およびＨＤＭＩ（登録商標）ソース１３４のようなデータ・ソースを含む。ディスプレイポート・ソース１３２およびＨＤＭＩ（登録商標）ソース１３４は、（図３に示す）プロセッサ１０２およびインタフェース・チップ（図示せず）を用いて所望のデータおよび／またはビデオ・フォーマットを生成する。代替的な実装では、データ・ソースが、モバイル・コンピューティング装置１０が本明細書で説明したように機能できるようにする任意の適切なデータ・フォーマットでデータを提供してもよい。
【００２４】
ハードウェア・アーキテクチャ１５０はまた、それぞれデータをそこから選択されたデータ・ソースからチャネルできる第２のドッキング・ポート１１２および第３のドッキング・ポート１１４を備える。第２のドッキング・ポート１１２はＰＤＭＩ標準プロトコルをサポートし、第３のドッキング・ポート１１４はＨＤＭＩ（登録商標）標準プロトコルをサポートする。代替的な実装では、第２のドッキング・ポート１１２および第３のドッキング・ポート１１４を、任意の標準プロトコルをサポートするように構成してもよい。
【００２５】
第１のマルチプレクサ１４０および第２のマルチプレクサ１４２は、データ・ソース１３０、１３２、および１３４、ならびに第２のドッキング・ポート１１２および第３のドッキング・ポート１１４の間に配置される。第１のマルチプレクサ１４０はＨＤＭＩ（登録商標）ソース１３４、第２のマルチプレクサ１４２、および第３のドッキング・ポート１１４の間でデータ・フレームを送受信し、第２のマルチプレクサ１４２はＵＳＢソース１３０、ディスプレイポート・ソース１３２、第１のマルチプレクサ１４０、および第２のドッキング・ポート１１２の間でデータ・フレームを送受信する。
【００２６】
アタッチメント・センサ１１８は第２のドッキング・ポート１１２、第１のマルチプレクサ１４０、および第２のマルチプレクサ１４２と通信して接続される。より具体的には、アタッチメント・センサ１１８はセンス線１２０を介して第２のドッキング・ポート１１２と通信して接続され、コマンド・ライン１４４を介して第１のマルチプレクサ１４０と通信して接続され、コマンド・ライン１４６を介して第２のマルチプレクサ１４２と通信して接続される。
【００２７】
動作に際して、モバイル・コンピューティング装置１０は、インタフェース・コネクタが第２のドッキング・ポート１１２から切断されているとき第１の動作モードで動作し、インタフェース・コネクタが第２のドッキング・ポート１１２に接続されているとき第２の動作モードで動作する。より具体的には、アタッチメント・センサ１１８がセンス線１２０を介して第２のドッキング・ポート１１２でアサートされたバイアスを検出したときに、第２の動作モードを作動してもよい。例えば、１実装では、シンク装置がバイアスを第２のドッキング・ポート１１２の少なくとも１つのピンでアサートして、第２のドッキング・ポート１１２を介して送信すべきデータおよび／またはビデオを要求してもよい。
【００２８】
モバイル・コンピューティング装置１０が第１の動作モードにあるとき、第１のマルチプレクサ１４０は、データをＨＤＭＩ（登録商標）ソース１３４から第３のドッキング・ポート１１４に向けて送信し、第２のマルチプレクサ１４２はデータをデータ・ソース１３０および１３２のうち１つから第２のドッキング・ポート１１２に向けてチャネルする。モバイル・コンピューティング装置１０が第２の動作モードにあるとき、第１のマルチプレクサ１４０がデータをＨＤＭＩ（登録商標）ソース１３４から第２のドッキング・ポート１１４に送信するか、または、第１の動作モードと比較して速いデータ速度で、第２のマルチプレクサ１４２がデータをディスプレイポート・ソース１３２から第２のドッキング・ポート１１２に送信するかの何れかである。さらに、下記でさらに詳細に説明するように、第２のドッキング・ポート１１２のピンアウトを、ＨＤＭＩ（登録商標）ソース１３４および／またはディスプレイポート・ソース１３２から供給された追加の帯域幅を第２のドッキング・ポート１１２がサポートできるように、第２の動作モードで再構成してもよい。
【００２９】
マルチプレクサ１４０および１４２は、コマンド・ライン１４４および１４６を介してアタッチメント・センサ１１８から受信されたコマンドに基づいてデータを経路付けするように構成される。より具体的には、シンク装置は、第２のドッキング・ポート１１２とインタフェースするコネクタを介して、選択されたデータ・フォーマットでデータを受信する要求を提供し、アタッチメント・センサ１１８は、当該要求を受信し、当該データをＨＤＭＩ（登録商標）ソース１３４および／またはディスプレイポート・ソース１３２から第２のドッキング・ポート１１２に送信するようにマルチプレクサ１４０および１４２に指示する。かかる実装では、第２のドッキング・ポート１１２のピンアウトは、ＨＤＭＩ（登録商標）標準プロトコルおよび／または４レーンのディスプレイポート標準プロトコルをサポートする第２のピンアウトで再構成される。
【００３０】
図５、６、および７は、第１の動作モード、第２の動作モード、および第３の動作モードでの第２のドッキング・ポート１１２（図３および４に示す）の例示的なピンアウトを示す。例示的な実装では、第２のドッキング・ポート１１２のピンアウト（図３および４に示す）を、第２のドッキング・ポート１１２が複数のデータ・フォーマットをサポートできるように再構成してもよい。例えば、当該ピンアウトを、第２のドッキング・ポート１１２の少なくとも１つのピンで検出されたバイアスに基づいて、第２のドッキング・ポート１１２を第１の動作モード、第２の動作モード、および第３の動作モードで有効とするように再構成してもよい。より具体的には、第２のドッキング・ポート１１２は、バイアスが当該ピンの１つで検出されなかったときに第１の動作モードにあり、第２のドッキング・ポート１１２は第１のバイアスが当該ピンの１つで検出されたとき第２の動作モードにあり、第２のドッキング・ポート１１２は第２のバイアスが当該ピンの１つで検出されたとき第３の動作モードにある。第１のバイアスが当該ピンに印加されたアースであってもよく、第２のバイアスが当該ピンで検出された非零電圧であってもよい。（図３および４に示す）アタッチメント・センサ１１８が第１のバイアスおよび／または第２のバイアスを検出し、データを選択されたデータ・ソースから第２のドッキング・ポート１１２に送信するように（図３に示す）マルチプレクサ１０４および／または（図４に示す）マルチプレクサ１４０および１４２に指示してもよい。代替的な実装では、第１のバイアスおよび第２のバイアスが、第２のドッキング・ポート１１２が本明細書で説明したように機能できるようにする任意のバイアスであってもよい。さらに、代替的な実装では、バイアスが第１のピンで検出されたとき第２のドッキング・ポート１１２が第１の動作モードであってもよく、当該バイアスが第２のピンで検出されたとき第２のドッキング・ポート１１２が第２の動作モードであってもよく、当該バイアスが第３のピンで検出されたとき第２のドッキング・ポート１１２が第３の動作モードであってもよい。
【００３１】
ピン７で検出されたバイアスのタイプおよび／またはその不存在によって、第２のドッキング・ポート１１２に送信するデータ・フォーマットの決定が促進される。次に図５を参照すると、モバイル・コンピューティング装置１０は、バイアスがピン７で検出されなかったときおよびピン１０でのバイアスの検出時に第１の動作モードで動作するように第２のドッキング・ポート１１２を構成する。より具体的には、バイアスをピン１０で検出することで、シンク装置がＵＳＢサービスを要求しているという指示をアタッチメント・センサ１１８に提供してもよい。さらに、ピン７をオープンにしたままにすることで、当該シンク装置がピン２０乃至３０を介して２レーンのディスプレイポートサービスを要求しているという指示をアタッチメント・センサ１１８に提供してもよい。したがって、第２のドッキング・ポート１１２のピンアウトを、それを通じた２レーンのディスプレイポートのデータ・フォーマットのサポートと送信を促進するように再構成する必要はない。代替的な実装では、バイアスがピン７で検出されないとき、バイアスをピン１０で検出することで、当該シンク装置が、第２のドッキング・ポート１１２を通じてデータを任意の適切なデータ・フォーマットで送信するのを要求しているという指示を提供してもよい。
【００３２】
次に図６を参照すると、モバイル・コンピューティング装置１０は、ピン７でアースを検出しピン１０でバイアスを検出した際に第２の動作モードで動作するように第２のドッキング・ポート１１２を構成する。より具体的には、アースをピン７で検出しバイアスをピン１０で検出することで、シンク装置がＵＳＢサービスおよび／またはＨＤＭＩ（登録商標）サービスを要求しているという指示をアタッチメント・センサ１１８に提供してもよい。第２のドッキング・ポート１１２は２レーンのディスプレイポートおよびＨＤＭＩ（登録商標）データ・フォーマットの両方を同時にサポートできないので、ピンアウトを修正してＨＤＭＩ（登録商標）データ・フォーマットをサポートしてもよい。例えば、第２のドッキング・ポート１１２は、第１の動作モードにあるときＵＳＢ２．０、ＵＳＢ３．０、および２レーンのディスプレイポートのサービスをサポートする。第２の動作モードでは、ピン１１乃至１４およびピン１７乃至３０は、第２のドッキング・ポート１１２がＨＤＭＩ（登録商標）データ・フォーマットの送信をサポートできるように、ＵＳＢ３．０、コンシューマ電子制御、および２レーンのディスプレイポートから再配置される。代替的な実装では、アースをピン７で検出し、バイアスをピン１０で検出することで、当該シンク装置が第２のドッキング・ポート１１２を通じてデータを任意の適切なデータ・フォーマットで送信するのを要求しているという指示を提供してもよい。
【００３３】
次に図７を参照すると、モバイル・コンピューティング装置１０は、非零電圧をピン７で検出しバイアスをピン１０で検出した際に、第３の動作モードで動作するように第２のドッキング・ポート１１２を構成する。より具体的には、非零電圧をピン７で検出し、バイアスをピン１０で検出することで、シンク装置がＵＳＢサービスおよび／または４レーンのディスプレイポートサービスを要求しているという指示をアタッチメント・センサ１１８に提供してもよい。次いで、ピンアウトを、４レーンのディスプレイポートデータ・フォーマットをサポートするように再構成してもよい。なぜならば、第２のドッキング・ポート１１２が２レーンのディスプレイポートおよび４レーンのディスプレイポートデータ・フォーマットの両方を同時にサポートできなくてもよいからである。例えば、第２のドッキング・ポート１１２は、第１の動作モードにあるときＵＳＢ２．０、ＵＳＢ３．０、および２レーンのディスプレイポートサービスをサポートする。第３の動作モードでは、ピン１１乃至１４およびピン１７乃至３０は、第２のドッキング・ポート１１２が４レーンのディスプレイポートのデータ・フォーマットの送信をサポートできるように、ＵＳＢ３．０、コンシューマ電子制御、および２レーンのディスプレイポートから再配置される。さらに、非零電圧はピンアウト構成のピン２３からピン７に供給される。代替的な実装では、非零電圧をピン７で検出し、バイアスをピン１０で検出することで、当該シンク装置が、第２のドッキング・ポート１１２を通じてデータを任意の適切なデータ・フォーマットで送信するのを要求しているという指示を提供してもよい。さらに、代替的な実装では、非零電圧を、第２のドッキング・ポート１１２が本明細書で説明したように機能できるようにする任意の適切な電源から供給してもよい。
【００３４】
さらに、代替的な実装では、第２のドッキング・ポート１１２の任意のピンを、バイアスを受信し、第２のドッキング・ポート１１２に対するビデオモード検出を促進するように構成してもよい。
【００３５】
本明細書で説明した装置および方法は、モバイル・コンピューティング装置の機能を向上するのを促進する。より具体的には、本明細書で説明した装置は、選択されたデータ・フォーマットのデータを、当該モバイル・コンピューティング装置内に少なくとも部分的に配置されたドッキング・ポートに選択的に提供できるようにするハードウェア・アーキテクチャを備える。当該ドッキング・ポートにあるインタフェースは、シンク装置がバイアスを当該ポートでアサートしたときに検出され、当該ポートの１つのピンアウトを、選択されたデータ・フォーマットをサポートするように再構成してもよい。したがって、本明細書で説明したモバイル・コンピューティング装置は、消費者により使用される一般的なコネクタと互換であるドッキング・ポートと、向上した機能を有し複数のデータ・フォーマットをそれを介して送信するように再構成できるドッキング・ポートとを備える。
【００３６】
さらに、本発明は以下の項に従う実施形態を含む。
【００３７】
項１：ポータブル・デジタル・メディア・インタフェースをサポートするように構成された第１のピンアウトを備えた第１のポートと、
夫々がデータをデータ・フォーマットで提供するように構成された複数のデータ・ソースであって、バイアスが選択的に、当該複数のデータ・ソースの１つから第１のポートに送信するためのデータ・フォーマットを送信するのを促進する第１のポートの第１のピンでアサートされる、複数のデータ・ソースと、
当該複数のデータ・ソースの１つから第１のポートにデータを選択的に送信するように構成されたマルチプレクサであって、第１のピンアウトは、選択されたデータ・フォーマットをサポートするための第２のピンアウトで再構成される、マルチプレクサと、
を備える、モバイル・コンピューティング装置。
【００３８】
項２：第１のマルチプレクサは、第１のバイアスが第１のピンでアサートされるときデータを第１のデータ・フォーマットで送信し、第２のバイアスが第１のピンでアサートされるときデータを第２のデータ・フォーマットで送信する、項１に従う装置。
【００３９】
項３：第１のバイアスは第１のピンに印加されたアースを含み、第２のバイアスは第１のピンでアサートされた非零電圧を含む、項２に従う装置。
【００４０】
項４：当該非零電圧が第１のポートの第２のピンから第１のピンに供給される、項３に従う装置。
【００４１】
項５：バイアスが第１のピンでアサートされないとき、デフォルトのデータ・フォーマットが選択される、項１に従う装置。
【００４２】
記載した説明では、ベスト・モードを含む様々な実装を開示し、任意のデバイスまたはシステムを生成し使用することおよび任意の取り込まれた方法を実施することを含めて、当業者が様々な実装を実施できるようにするための例を使用した。本発明の特許可能な範囲は、特許請求の範囲により定義され、当業者が想到する他の例を含んでもよい。かかる他の例は、それらが諸請求項の文言と相違しない構造的要素を有する場合、または、それらが諸請求項の文言と実質的に相違しない均等な構造的要素を含む場合に、諸請求項の範囲内にあるものである。
【符号の説明】
【００４３】
１０４  信号マルチプレクサ
１０６  電源スイッチ
１０８  電源スイッチ
１１２  PDMIドック・コネクタ
１１４  ＨＤＭＩ（登録商標）コネクタ
１１８  アタッチメント・センサ
１３０  USB 3.0超速ソース
１３２  ディスプレイポート・ソース
１３４  ＨＤＭＩ（登録商標）ソース
１４０  信号マルチプレクサ
１４２  信号マルチプレクサ
【図１】
0006640091.tif 000002
【図２】
0006640091.tif 000003
【図３】
0006640091.tif 000004
【図４】
0006640091.tif 000005
【図５】
0006640091.tif 000006
【図６】
0006640091.tif 000007
【図７】
0006640091.tif 000008